(57)【特許請求の範囲】
【請求項１】
容器体２の口頚部３に嵌合させた装着キャップ４と、装着キャップ上端から起立して上部から射出筒５を前方へ突出してなるポンプ本体６と、射出筒５前部から揺動可能に垂設したトリガー７とを備え、トリガーの操作による内蔵ポンプ機構の作用で容器体内の液を吸い上げて射出筒先端部の噴出口より噴出する如く構成したトリガー式液体噴出器に於いて、ポンプ本体６基端部外周部分又は装着キャップ４外周部分にリング状部９を回動可能且つ抜け出し不能に嵌合させるとともに、リング状部９より前方へ延設した係止板10の先端縁を側面視山型状に隆起させた隆起部11を形成し、隆起部前面中央を縦断して凹設した係合凹部12内にトリガー７後面部を強制的に且つ抜け出し可能に嵌合係止させてなる係止部材Ａを、後方への回動が可能に設けてなることを特徴とするトリガー式液体噴出器。
【請求項２】
ポンプ本体６の上面、両側面及び後面を被覆して形成したカバー13の後部に、後方へ回動させた係止部材Ａの隆起部11を係止可能に構成してなる請求項１記載のトリガー式液体噴出器。
【発明の詳細な説明】
【０００１】
【発明の属する技術分野】
本発明はトリガー式液体噴出器に関する。
【０００２】
【従来の技術】
トリガー式液体噴出器として、例えば、容器体口頚部に嵌合させた装着キャップと、該キャップ上方に嵌着固定するとともに、装着キャップ上端から起立した縦筒の中間部からシリンダを、その上部からは射出筒をそれぞれ前方へ突出してなるポンプ本体と、射出筒先端に嵌着させたノズルヘッドと、射出筒前部から揺動可能に垂設するとともに、シリンダ内に前方付勢状態で嵌合さたプランジャの先端部を押し込み可能に連係させたトリガーとを備え、該トリガーの操作により内蔵ポンプ機構の作用で容器体内の液を吸い上げてヘッドの噴出口より噴出する如く構成したものが知られている。
また、この種噴出器では、一般に、不用意なトリガーの操作による液の漏出、或いは商品陳列時に於ける悪戯の防止を図るために、射出筒前端に設けたノズル嵌合筒にノズルヘッドを回動可能に設けるとともに、両者間にノズルヘッドを回動させることにより液流路の連通が遮断され、元の状態に戻せば連通する開閉機構を設けている。
【０００３】
【発明が解決しようとする課題】
しかしながら、上記した開閉機構を設けたものにあっては、トリガーはプランジャを介して液圧により押し込み不能に係止されているため、液流路閉塞状態のままで度々トリガーを引き寄せると、プランジャの若干の押し込みが可能となり、シリンダ内の異常な高圧化で吐出弁を通って、吐出弁下流の射出筒前方部分内に高圧液体が溜まることがあり、このようになるとノズルヘッドを液流路連通位置まで回した時、その射出筒前方部分内に溜まっていた高圧液体が、トリガー操作を行わなくてもノズル孔から噴出する不都合が生じたり、また、トリガーを強く引き寄せると、射出筒内の高圧化でノズルヘッドがノズル嵌合筒から外れる虞もあった。
本発明は上記した点に鑑みなされたもので、不使用時等にトリガー操作を確実に防止して上記した不都合を解消することが出来、また、使用時には取り扱いが便利であり、その構造も簡単な優れたトリガー式液体噴出器を提案するものである。
【０００４】
【課題を解決するための手段】
本請求項１発明の噴出器は上記課題を解決するため、容器体２の口頚部３に嵌合させた装着キャップ４と、装着キャップ上端から起立して上部から射出筒５を前方へ突出してなるポンプ本体６と、射出筒５前部から揺動可能に垂設したトリガー７とを備え、トリガーの操作による内蔵ポンプ機構の作用で容器体内の液を吸い上げて射出筒先端部の噴出口より噴出する如く構成したトリガー式液体噴出器に於いて、ポンプ本体６基端部外周部分又は装着キャップ４外周部分にリング状部９を回動可能且つ抜け出し不能に嵌合させるとともに、リング状部９より前方へ延設した係止板10の先端縁を側面視山型状に隆起させた隆起部11を形成し、隆起部前面中央を縦断して凹設した係合凹部12内にトリガー７後面部を強制的に且つ抜け出し可能に嵌合係止させてなる係止部材Ａを、後方への回動が可能に設けてなることを特徴とするトリガー式液体噴出器として構成した。
【０００５】
また、請求項２発明の噴出器は、ポンプ本体６の上面、両側面及び後面を被覆して形成したカバー13の後部に、後方へ回動させた係止部材Ａの隆起部11を係止可能に構成してなる請求項１記載のトリガー式液体噴出器として構成した。
【０００６】
【発明の実施の形態】
以下、本発明の実施例の形態を図面を参照して説明する。
本発明のトリガー式液体噴出器１は、容器体２の口頚部３に嵌合させた装着キャップ４と、装着キャップ上端から起立して上部から射出筒５を前方へ突出してなるポンプ本体６と、射出筒前部から揺動可能に垂設したトリガー７とを備え、トリガーの操作による内蔵ポンプ機構の作用で容器体内の液を吸い上げて射出筒先端部の噴出口より噴出する如く構成した公知のポンプ機構を備えたものである。図示例では、射出筒５の先端に連結部材を介してノズルヘッド８を連結しており、このノズルヘッド８は、左右方向へ回動させることにより噴出口の開閉を行える公知の開閉機構を備えている。
【０００７】
また、内蔵ポンプ機構の一例を図示しないで説明すると、装着キャップ上端から起立した縦筒の中間部からシリンダを、その上部からは射出筒をそれぞれ前方へ突出してポンプ本体を構成し、シリンダ内に前方付勢状態で押し込み可能に嵌合させたプランジャの先端をトリガー上部に連係させ、また、縦筒内下部に吸い込み弁を、上部に吐出弁を設け、吸い込み弁下流の縦筒内とシリンダ内とを連通させるとともに、吐出弁下流の縦筒内と射出筒内とを連通させるという構成が挙げられる。
【０００８】
本発明では、上記したこの種の噴出器に於いて、不使用時にトリガー７の不用意な引き込みを防止するとともに使用時には握った手の上面に当接して取り扱い易くするための係止部材Ａを設けている。
係止部材Ａは、ポンプ本体６基端部外周部分にリング状部９を回動可能に嵌合させるとともに、リング状部９より前方へ延設した係止板10の先端縁を側面視山型に隆起させた隆起部11に形成し、隆起部前面中央を縦断して凹設した係合凹部12内にトリガー７後面部を強制的に且つ抜け出し可能に嵌合係止させたもので、後方への回動が可能に設けており、装着キャップ４の上端開口より突出したポンプ本体６の基端部外周部にリング状部９を回動可能に嵌合させている。係止板10の先端縁を隆起部11に形成することにより、トリガー７裏面との当接面積を大きくして、誤ってトリガーを引いた際に、トリガーの撓みによるプランジャの押し込みを極力防止する如く構成している。隆起部11の前面は円弧状に形成すると良く、そうすることによりトリガー７後面を嵌合凹部に回動嵌合させるのが容易に行え、特に後述の構造を有するトリガーには安定して係合させておくことができる。
【０００９】
図示例のトリガー７は、前板部7aの両側よりそれぞれ後方へ側板部7bを延設して構成しており、従って、両側板部7b上部の外側面後端部を係合凹部12両側面に嵌合させている。
また、本実施例ではポンプ本体６の上面、両側面及び後面を被覆して形成したカバー13を設けており、このカバー13の後部に、後方へ回動した係止部材Ａの隆起部11を係止可能に構成している。
図示例では、カバー13の後壁13a 下部から両側壁13b 後端部下部に至る切欠き部14を形成し、この切欠き部14部分の後壁13a 下面中央部より係合凹部12に嵌合する係合舌片15を垂設し、この係合舌片15を係合凹部12に強制嵌合させる如く構成している。
そして、不使用時には図１に示す如く、係止部材Ａを前方へ回動させておいてトリガー７の引き込みが行えないようにしておく。また、使用時には、図３に示す如く、係止部材Ａを後方へ回動させて、その係合凹部12に係合舌片15を係合させ、容器体上端部外周から装着キャップ外周に亘って握った手の上面が、係止板10下面に当接して、握った容器の上方へのズレ等を防止する如く構成している。
【００１０】
図６乃至図１０に示す実施例は、後部に於いて底壁13c を有する構造のカバー13を採用し、また、係止部材Ａの隆起部11の後面中央部にも第２係合凹部16を凹設している。
この場合にカバー後壁13a 下部を前方へ凹ませた凹部17を形成し、該凹部中央部を上下に走る帯状突部18を形成し、該突部が後方へ回動した係止部材Ａの係合凹部12に強制嵌合する如く構成している。
また、本実施例では、係止板10の下面に、滑り止め用の凹凸部19を設けている。この凹凸部は、上記図１の実施例にも適用できる。
尚、上記各実施例では、リング状部をポンプ本体基端部外周に回動可能に嵌合させて係止部材Ａを装着した例に付いて説明しているが、この係止部材Ａは、装着キャップ４外周にリング状部を回動可能に嵌合させて装着する如く構成しても良い。また、上記各部材は主として合成樹脂により形成している。
【００１１】
【発明の効果】
以上説明した如く本発明噴出器は、既述構成としたことにより、特に、不使用時には、係止部材によりトリガーの引き込みを確実に防止できて不用意な液の漏出を防止できるとともに、嵌合凹部の存在で確実に隆起部前面中央部にトリガーを嵌合係止させておくことができ、誤ってトリガーを引いた場合に係止部材とトリガーとの係合が外れることもない。また、使用時には係止板がポンプ本体後方に回動するため、容器を持った手が係止板下面に当接して、持った容器がズレる等の不都合を生じることなく、取り扱いも極めて便利である。
【００１２】
また、請求項２記載の噴出器では、係止部材を後方へ回動させた際にカバーの後部に係止されるため、余分な出っ張りを生ずることなく所定の位置に係止部材を止めておくことが出来、容器を持った手の上に係止板下面が位置する位置決めを容易に行えるという利点を兼ね備えている。
【図面の簡単な説明】
【図１】本発明の一実施例を示す要部斜視図である。
【図２】同実施例の係止部材を示す斜視図である。
【図３】同実施例の係止部材を後方へ回動させた際の要部斜視図である。
【図４】同実施例の係止部材を後方へ回動させた際の要部背面図である。
【図５】同実施例の係止部材を後方へ回動させた際の要部縦断面図である。
【図６】本発明の他の実施例を示す要部斜視図である。
【図７】同実施例の係止部材を示す斜視図である。
【図８】同実施例の係止部材を斜め下から見た状態の要部斜視図である。
【図９】同実施例の係止部材を後方へ回動させた際の要部背面図である。
【図１０】同実施例の係止部材を後方へ回動させた際の要部縦断面図である。
【符号の説明】
２…容器体，３…口頚部，４…装着キャップ，５…射出筒，６…ポンプ本体，７…トリガー，９…リング状部，10…係止板，11…隆起部，12…係合凹部，  13…カバー，Ａ…係止部材
【図１】
0003780442.tif 000002
【図２】
0003780442.tif 000003
【図３】
0003780442.tif 000004
【図４】
0003780442.tif 000005
【図５】
0003780442.tif 000006
【図６】
0003780442.tif 000007
【図７】
0003780442.tif 000008
【図８】
0003780442.tif 000009
【図９】
0003780442.tif 000010
【図１０】
0003780442.tif 000011